(57)【要約】【課題】組立式ドーム型ハウスの土台を現地で組立ができるようにする。また、土台とドーム型ハウスの基部を堅固に結合できる土台構造を提供する。【解決手段】本組立式土台は、発泡スチロールからなる複数のドーム分割片を接着剤によって接合することにより組み立てられるドーム型ハウス用の土台であって、ドーム型ハウスの周回りを複数に分割した長さを有し、円環状に配置されるコンクリート製土台ブロックからなり、この土台ブロックは、その外周側に形成され、ドーム分割片の基部が嵌合される係止凹部と、隣接する土台ブロックの対向する端面に形成され、相互に嵌合することにより土台ブロックの位置決めを行うガイドピン及びガイドピン孔と、隣接した土台ブロックに掛け渡さて隣接する土台ブロックを連結固定し、かつ、ドーム分割片を土台ブロックに固定する連結売プレートとを備える。【選択図】図７
0003106306.tif 000002
【実用新案登録請求の範囲】
【請求項１】
発泡スチロールからなる複数のドーム分割片を接着剤によって接合することにより組み立てられるドーム型ハウスに用いる土台であって、
前記土台は、前記ドーム型家屋の周回りを複数に分割した長さを有し、前記ドーム型ハウスの周回りに沿って円環状に配置されるコンクリート製土台ブロックからなり、
前記コンクリート製土台ブロックには、その外周側に形成され、前記ドーム分割片の基部が嵌合される係止凹部と、隣接する前記コンクリート製土台ブロックの対向する端面に形成され、相互に嵌合することにより前記コンクリート製土台ブロックの位置決めを行うガイドピン及びガイドピン孔と、隣接した前記コンクリート製土台ブロックに掛け渡さて隣接する前記土台ブロックを連結固定し、かつ、前記ドーム分割片を前記コンクリート製土台ブロックに固定する連結プレートとが備えられたことを特徴とする組立式土台。
【請求項２】
発泡スチロールからなる複数のドーム分割片を接着剤によって接合することにより組み立てられるドーム型ハウスに用いる土台であって、
前記土台は、前記ドーム型家屋の周回りを複数に分割した長さを有し、前記ドーム型家屋の周回りに沿って円環状に配置される鋼板製土台ブロックからなり、
前記鋼板製土台ブロックには、その外周側に設けられ、前記ドーム分割片の基部が嵌合される複数の架台と、隣接する前記鋼板製土台ブロックを相互に連結固定する連結プレートと、前記鋼板製土台ブロックの外周側を地面に固定する固定金具と、前記ドーム分割片を前記鋼板製土台ブロックに固定する固定金具とが備えられることを特徴とする組立式土台。
【請求項３】
発泡スチロールからなる複数のドーム分割片を接着剤によって接合することにより組み立てられるドーム型ハウスに用いる土台であって、
前記土台は、前記ドーム型家屋の周回りを複数に分割した長さを有し、前記ドーム型家屋の周回りに沿って円環状に配置される鋼板製土台ブロックからなり、
前記鋼板製土台ブロックには、その外周側に設けられ、前記ドーム分割片の基部が嵌合される複数の架台と、隣接する前記鋼板製土台ブロックを相互に連結固定する連結プレートと、前記鋼板製土台ブロックの外周側を地面に固定する固定金具と、前記ドーム分割片を前記鋼板製土台ブロックに固定する固定金具とが備えられると共に、
前記鋼板製土台ブロックに、両端部が前記鋼板製土台ブロックに支承されて掛け渡される根太と、前記根太の上に交差するように掛け渡される内側桟と、前記内側桟を囲むように設けられる外周桟と、前記内側桟と前記外周桟の上に載置される床板とからなる床体が取り付けられたことを特徴とする組立式土台。
【考案の詳細な説明】
【技術分野】
【０００１】
本考案は、発泡スチロールからなる組立式ドーム型ハウスの組立式土台に関する。
【背景技術】
【０００２】
屋外型の宿泊施設として、木材を利用したバンガローが知られている。しかし、バンガローは建設費がかさむ上に、工事期間も数日間が必要である。また、テント型の宿泊施設は、建設費が安く工事期間が短いが、耐久性がなく居心地感が劣る。
【０００３】
組立式のドーム型ハウスは、建設費がかさまず工事期間が短く、また、耐久性があって高級感のある宿泊施設または住居を実現できる。（特許文献１参照）
【０００４】
しかし、このような組立式ドーム型ハウスの土台は、現場で生コンクリートによる打設で施工されていたため、コンクリートを流し込む板枠の製作を含めて工事期間が長くならざるを得なかった。
【特許文献１】国際公開番号ＷＯ０１／４４５９３
【考案の開示】
【考案が解決しようとする課題】
【０００５】
本考案の目的は、組立式ドーム型ハウスの土台を現地で組立ができるようにすることであり、また、土台とドーム型ハウスの基部を堅固に結合できる構造を提供することにある。
【課題を解決するための手段】
【０００６】
上記の目的を達成するため、本考案による第１の組立式土台は、発泡スチロールからなる複数のドーム分割片を接着剤によって接合することにより組み立てられるドーム型ハウスに用いる土台であって、前記土台は、前記ドーム型家屋の周回りを複数に分割した長さを有し、前記ドーム型ハウスの周回りに沿って円環状に配置されるコンクリート製土台ブロックからなり、前記コンクリート製土台ブロックには、その外周側に形成され、前記ドーム分割片の基部が嵌合される係止凹部と、隣接する前記コンクリート製土台ブロックの対向する端面に形成され、相互に嵌合することにより前記コンクリート製土台ブロックの位置決めを行うガイドピン及びガイドピン孔と、隣接した前記コンクリート製土台ブロックに掛け渡さて隣接する前記コンクリート製土台ブロックを連結固定し、かつ、前記ドーム分割片を前記コンクリート製土台ブロックに固定する連結プレートとが備えられたことを特徴とする。
【０００７】
本考案による第２の組立式土台は、発泡スチロールからなる複数のドーム分割片を接着剤によって接合することにより組み立てられるドーム型ハウスに用いる土台であって、前記土台は、前記ドーム型家屋の周回りを複数に分割した長さを有し、前記ドーム型家屋の周回りに沿って円環状に配置される鋼板製土台ブロックからなり、前記鋼板製土台ブロックには、その外周側に設けられ、前記ドーム分割片の基部が嵌合される複数の架台と、隣接する前記鋼板製土台ブロックを相互に連結固定する連結プレートと、前記鋼板製土台ブロックの外周側を地面に固定し、かつ、前記ドーム分割片を前記鋼板製土台ブロックに固定する固定金具とが備えられたことを特徴とする。
【０００８】
本考案による第３の組立式土台は、発泡スチロールからなる複数のドーム分割片を接着剤によって接合することにより組み立てられるドーム型ハウスに用いる土台であって、前記土台は、前記ドーム型家屋の周回りを複数に分割した長さを有し、前記ドーム型家屋の周回りに沿って円環状に配置される鋼板製土台ブロックからなり、前記鋼板製土台ブロックには、その外周側に設けられ、前記ドーム分割片の基部が嵌合される複数の架台と、隣接する前記鋼板製土台ブロックを相互に連結固定する連結プレートと、前記鋼板製土台ブロックの外周側を地面に固定する固定金具と、前記ドーム分割片を前記鋼板製土台ブロックに固定する固定金具とが備えられると共に、前記土台に、両端部が前記鋼板製土台ブロックに支承されて掛け渡される根太と、前記根太の上に交差するように掛け渡される内側桟と、前記内側桟を囲むように設けられる外周桟と、前記内側桟と前記外周桟の上に載置される床板とからなる床体が取り付けられたことを特徴とする。
【考案の効果】
【０００９】
本考案による第１の組立式土台によれば、コンクリート製土台を分割して複数の土台ブロックで構成したので、現地に搬入してすぐに組み立てることができる。また、据付と組立が簡単なので、土台工事の期間を短くできる。
本考案による第２の組立式土台によれば、土台を複数の鋼板製土台ブロックで構成したので、現地に搬入してすぐに組み立てることができる。また、据付と組立が簡単なので、土台工事の期間を短くできる。
本考案による第３の組立式土台によれば、土台を複数の鋼板製土台ブロックで構成すると共に、組立式の床体も合せて提供したので、現地に搬入してすぐに組み立てることができる。また、セメント打設による床体の工事が不要となるから、土台工事の期間を短くできる。
本考案による第１〜第３の組立式土台の土台ブロックに、ドーム分割片のＬ字形の基部がはめ込める係止凹部または架台を設けたので、ドーム分割片を土台に堅固に連結し結合することができる。また、係止凹部または架台を、土台の外周部の側面に設けたから、強風などがあってもドーム分割片は抜けることがない。
【考案を実施するための最良の形態】
【００１０】
以下、図面を参照して本考案による、組立式土台について詳細に説明する。始めに、組立式土台を備えた組立式ドーム型ハウスの全体構成および施工方法について説明する。
【００１１】
図１は、組立式ドーム型ハウスの全体を示す立面図、図２は平面図である。本ドーム型ハウスは、軽量で保温性がよい発泡スチロールを基材に使用している。ドーム型ハウス１００は、図１と図２に示すように、１０枚のドーム分割片１０〜１９を集合して、隣接するドーム分割片を接着剤で接合することにより、内部に半球状の居住空間を形成したものである。図１において、ＷＤは所定のドーム分割片にあらかじめ設けられた窓部、ＰＴは玄関部である。ドーム型ハウス１００は、組立式土台３０の上に組み立てられる。
【００１２】
図３はドーム分割片１０、１３の斜視図である。各ドーム分割片１０〜１９は、発泡倍率が１０〜５０倍で、厚さ１０〜５０ｃｍの発泡スチロールを基材として構成される。例えば、積雪が最大で８０ｃｍ程度の場合には、発泡倍率２０倍、厚さ２０ｃｍのドーム分割片とすることができる。積雪がない地域では、発泡倍率を２０倍より大きくし、あるいは厚さを２０ｃｍ以下に薄くできる。積雪が１ｍを越える場合は、発泡倍率を２０倍以下に小さくして強度を確保するか、厚さを厚くする。
図３に示すように、各ドーム分割片１０〜１９には、Ｌ字形の基部ＤＢと、基部ＤＢから立ち上がる接合縁ＤＥ、ＤＤと、先端部ＤＲとを有する。
【００１３】
ドーム分割片１０〜１９の先端部ＤＲは、頂部ジョイント２２（図２参照）で互いに結合される。また、隣接するドーム分割片１０〜１９の接合縁ＤＥ、ＤＤは、接着されて締結具２１（図１参照）で締結される。ドーム型ハウスのＬ字形の基部ＤＢは、組立式土台３０に嵌合して固定される。このようにしてドーム型ハウス１００が組み立てられる。
【実施例１】
【００１４】
図４〜図７に基づいて、第１の実施形態による組立式土台を説明する。図４は組立式土台の斜視図、図５はその平面図、図６はその断面図である。図４に示すように、組立式土台３０は、コンクリート製で、全体形状は円環状である。図５、図６に示すように、組立式土台３０は、１０枚のドーム分割片１０〜１９に対応して分割された、１０個の湾曲したコンクリート製土台ブロック３１０〜３１９で構成される。すなわちコンクリート製土台ブロック３１０〜３１９はドーム型ハウス１００の周回りを複数に分割した長さを有している。
【００１５】
図７に示すように、コンクリート製土台ブロック３１０〜３１９は、円弧状を有し、これらを長手方向に結合することにより、全体が円環状に構成される。コンクリート製土台ブロック３１０〜３１９の内周側には、床体３２を収容する段部３３０が形成される。コンクリート製土台ブロック３１０〜３１９の外周側には、外方に向かって突出する上下突出部３４０Ａ、３４０Ｂが設けられ、ドーム分割片１０〜１９の基部ＤＢが係止される係止凹部３５０が形成される。コンクリート製土台ブロック３１０〜３１９を集合してなる組立式土台３０は、従って、内周側には段部３３が全周にわたって形成され、外周側には係止凹部３５が全周にわたって形成される。
【００１６】
図７に示すように、コンクリート製土台ブロック３１０〜３１９の長手方向の一端面には位置決めのための３つのガイドピン３６０が植設される。他端面にはガイドピン孔（図示せず）が設けられる。ガイドピン３６０及びガイドピン孔は、隣接するコンクリート製土台ブロック３１０〜３１９の位置決めを行う位置決め手段となるものである。ガイドピン３６０をガイドピン孔に挿入することによって、隣接するコンクリート製土台ブロック同士を接合して行き、全体として円環状の組立式土台３０が形成される。そして、図４に示すように、コンクリート製土台ブロック３１０〜３１９は、外周面の接合部が連結プレート３６で連結され固定される。また、図６に示すように、連結プレート３６に使用されるボルトＢＴがドーム分割片１０〜１９を貫通して、ドーム分割片１０〜１９を組立式土台３０に固定している。従って、連結プレート３６及びボルトＢＴは、ドーム分割片１０〜１９をコンクリート製土台ブロック３１０〜３１９に固定する固定手段として作用する。
図７に示すように、コンクリート製土台ブロックの上面の２箇所にはインサータ３７０が設けられ、内装部材の固定用に使用される。
【００１７】
図５に示すように、コンクリート製土台ブロック３１０〜３１９を相互に固定して、円環状の組立式土台３０を形成する。次に、図６に示すように、床体３２を施工する。まず、組立式土台３０の内側に砕石３７１を所定の高さまで敷設する。その上にポリエチレンその他の樹脂フィルム３７２を敷く。さらにその上に、コンクリート３７３を組立式土台３０の高さまで充填する。コンクリート３７３は表面仕上げが施される。
【００１８】
このように構成した組立式土台３０上に、ドーム分割片１０〜１９を組み立てることにより、組立式のドーム型ハウスを設置する。
図６に示すように、ドーム分割片１０〜１９のＬ字形の基部ＤＢを係止凹部３５に嵌合させる。また、連結プレート３６により隣接するコンクリート製土台ブロックを連結固定すると同時に、組立式土台３０にドーム分割片１０〜１９を固定する。なお、ドーム分割片１０〜１９は、基材の発泡スチロールが約１０ｍｍのモルタルで表面裏面とも被覆されているので、連結プレート３６によって堅固に固定できる。
【００１９】
組立式土台３０の内側に形成する床体３２は、砕石３７１およびコンクリート３７３を使用せず、段部３３に鋼板の根太を掛け渡して、その上に床板を敷き、床の保温性を高めてもよい。鋼板の根太は、運搬を配慮した長さとし、ボルト連結で組み立てるものとする。木製の床板も運搬可能な大きさに分割し、根太にネジ留めするように構成できる。
【実施例２】
【００２０】
図８〜図１１に基づいて、第２の実施形態による組立式土台を説明する。図８は組立式土台の斜視図、図９はその平面図、図１０のａは、図９のＢ−Ｂ断面図であり、ｂは連結部の斜視図である。
【００２１】
図８に示すように、組立式土台４０は、鋼板製で、全体形状は角形環状である。ドーム分割片１０〜１９の基部と嵌合するための架台４２を有する。また、床板４５も鋼板で形成している。
【００２２】
図９に示すように、組立式土台４０は、１０枚のドーム分割片１０〜１９に対応して、１０個の台形状の鋼板製土台ブロック４１０〜４１９で構成され、互いに連結されている。また、各鋼板製土台ブロック４１０〜４１９には３個の架台４２を有して、ここにドーム分割片１０〜１９が嵌合され取り付けられる。組立式土台４０の上には、鋼板製の床体が形成される。床体は、横方向に掛け渡された３本の根太４３と、縦方向に掛け渡された１７本の内側桟４４、各鋼板製土台ブロック４１０〜４１９に設けられる１０本の外周桟４６、円形の床板４５からなる。
【００２３】
図１０（ｂ）に示すように、鋼板製土台ブロック４１０〜４１９の外周縁には、地面に固定する固定金具４１Ａが設けられている。鋼板製土台ブロック４１０〜４１９の長手方向の両端部には、Ｌ字形の連結プレート４１Ｂが溶接されている。鋼板製土台ブロック４１０〜４１９は、連結プレート４１Ｂを介して長手方向にボルト連結することによって、全体として多角形で環状の組立式土台を形成することができる。
【００２４】
図１０（ａ）に示すように、個々の架台４２は、鋼板製土台ブロック４１０〜４１９のそれぞれの上面に溶接されたコ字形板材４２２と、このコ字形板材４２２にボルト連結されるＬ字形板材４２１とで構成される。Ｌ字形板材４２１は、ドーム分割片１０〜１９の基部ＤＢの嵌合部ＫＧとしても機能する。コ字形板材４２２は、Ｌ字形板材４２１を支持すると共に、根太４３を設置する台となる。Ｌ字形板材４２１の垂直面がコ字形板材４２２でボルト連結され、Ｌ字形板材４２１の水平面が外周側に向かって延設されている。
【００２５】
根太４３は、コ字形板材４２２の上に掛け渡される。根太４３の上面の高さは、Ｌ字形板材４２１の上面の高さに合せている。根太４３の上には、断面がコ字形の内側桟４４がこれと直交するように掛け渡される。また、隣接した３個の架台４２間にも、断面がＬ字形の外周桟４６が掛け渡される。
【００２６】
図１１に示すように、床板４５は、３２枚の分割平面板４５１〜５０４からなり、これらの分割平面板を集合して床面が構成されている。各分割平面板４５１〜５０４は、内側桟４４、外周桟４６上に固定して設置される。
【００２７】
組立式土台４０の組立手順は次のとおりである。地面にアンカーボルトＡＢ（図１０（ｂ）参照）を埋設し、これを台形鋼板４１０〜４１９の固定金具４１Ａに連結する。次に、台形鋼板４１０〜４１９を連結プレート４１Ｂによりボルト連結する。架台４２のコ字形板材４２２の上に根太４３を設置して固定する。根太４３の上に直交して内側桟４４を所定の間隔で平行に設置して固定する。また、Ｌ字形板材４２１の上に外周桟４６を掛け渡す。内側桟４４、外周桟４６の上に、各分割平面板４５１〜５０４を設置して固定する。
【００２８】
図１０（ａ）に示すように、ドーム分割片１０〜１９のＬ字形の基部ＤＢは、嵌合部ＫＧに嵌合される。ドーム分割片１０〜１９の基部ＤＢは、図示しない固定金具により、各台形鋼板４１０〜４１９に締結固定される。
【００２９】
ドーム分割片１０〜１９は、１０個のパーツからなるものとして説明したが、これに限るものではない。数個から数１０個のパーツで構成してよい。また、ドームは半球状のものを示したが、多角形のドームでもよい。組立式土台が、コンクリート製の湾曲した土台ブロックと、台形鋼板に分割された例を示したが、他の素材であってよい。
【産業上の利用可能性】
【００３０】
本考案の組立式土台および組立式ドーム型ハウスは、バンガローやテントに以上に堅固で居住性に優れるものであるから、一般の家屋としても提供することができる。
【図面の簡単な説明】
【００３１】
【図１】組立式ドーム型ハウスの立面図である。
【図２】組立式ドーム型ハウスの平面図である。
【図３】組立式ドーム型ハウスのドーム分割片の斜視図である。
【図４】本考案による組立式土台の斜視図である。（実施例１）
【図５】本考案による組立式土台の平面図である。（実施例１）
【図６】図５の断面図である。（実施例１）
【図７】組立式土台の分割体であるコンクリート製土台ブロックの斜視図である。（実施例１）
【図８】本考案による組立式土台の斜視図である。（実施例２）
【図９】本考案による組立式土台の平面図である。（実施例２）
【図１０】（ａ）は図９のＢ−Ｂ断面図、（ｂ）は連結部の斜視図である。（実施例２）
【図１１】床板の平面図である。（実施例２）
【符号の説明】
【００３２】
１０〜１９    ドーム分割片
２１    締結具
２２    頂部ジョイント
３０    組立式土台（コンクリート製）
３２    床体
３３    段部
３５    係止凹部
３６    連結プレート
４０    組立式土台（鋼板製）
４１Ａ    固定金具
４１Ｂ    連結プレート
４２    架台
４３    根太
４４    内側桟
４５    床板
４６    外周桟
１００    ドーム型ハウス
３１０〜３１９    コンクリート製土台ブロック
３３０    段部
３４０Ａ、３４０Ｂ    上突出部、下突出部
３５０    係止凹部
３６０    ガイドピン
３７０    インサータ
３７１    砕石
３７２    樹脂フィルム
３７３    コンクリート
４１０〜４１９    鋼板製土台ブロック
４２１    Ｌ字形板材
４２２    コ字形板材
４５１〜５０４    分割平面板
ＡＢ    アンカーボルト
ＢＴ    ボルト
ＤＢ    基部
ＤＲ    先端部
ＤＥ、ＤＤ    接合縁
ＫＧ    嵌合部
ＰＴ    玄関部
ＷＤ    窓部
【図１】
0003106306.tif 000003
【図２】
0003106306.tif 000004
【図３】
0003106306.tif 000005
【図４】
0003106306.tif 000006
【図５】
0003106306.tif 000007
【図６】
0003106306.tif 000008
【図７】
0003106306.tif 000009
【図８】
0003106306.tif 000010
【図９】
0003106306.tif 000011
【図１０】
0003106306.tif 000012
【図１１】
0003106306.tif 000013